(57)【要約】【課題】意匠的に受け入れられ易く、かつ設計・施工時に制約の少ない、吊戸開閉時の衝撃音伝搬防止構造を提供する。【解決手段】衝撃音伝搬防止構造は、仕切壁１と直交する吊戸３と、仕切壁１と直交し、仕切壁１と吊戸３との間に設けられる控え壁２と、仕切壁１の壁面に上下に設けられる断面コの字状のランナー６と、を備え、控え壁２は、その側端が仕切壁１との間に隙間を保持する形態でランナー６に取り付けられ、控え壁２は、吊戸３の移動による衝撃を受けて隙間を小さくする方向に変位可能に構成されている。【選択図】図２
2010285775.tif 000002
【特許請求の範囲】
【請求項１】
仕切壁と直交する吊戸と、
前記仕切壁と直交し、前記仕切壁と前記吊戸との間に設けられる控え壁と、
前記仕切壁の壁面に上下に設けられる断面コの字状のランナーと、を備え、
前記控え壁は、その側端が前記仕切壁との間に隙間を保持する形態で前記ランナーに取り付けられ、
前記控え壁は、前記吊戸の移動による衝撃を受けて前記隙間を小さくする方向に変位可能に構成されていることを特徴とする衝撃音伝搬防止構造。
【請求項２】
前記控え壁は上下に立設したスタッドが両側から二つの石膏ボードに挟まれることで構成されており、
前記控え壁の取り付けは、前記控え壁の一方の端部において前記ランナーの側縁が前記二つの石膏ボードに挟まれることによってなされることを特徴とする請求項１に記載の衝撃音伝搬防止構造。
【請求項３】
前記一方の端部において前記二つの石膏ボードの間には、前記スタッドよりも前記控え壁の厚さ方向において径が小さい固定用スタッドが配置され、
前記二つの石膏ボードと前記固定用スタッドとの間には、二つの弾性板がそれぞれ配置され、
前記二つの石膏ボードは互いに近づく方向に締め付けられる状態で、前記固定用スタッドに対して固定されており、
前記固定用スタッドの一部が前記ランナーのコの字状の開口部内に位置することを特徴とする請求項１又は２に記載の衝撃音伝搬防止構造。
【発明の詳細な説明】
【技術分野】
【０００１】
本発明は、吊戸開閉時の衝撃音伝搬防止構造に関する。
【背景技術】
【０００２】
最近の集合住宅では住戸ごとに様々なプランが導入されており、吊戸を仕切壁に直交して配置する場合には図６に示すような施工仕様が採用される。図６は仕切壁１、控え壁２及び戸枠４の取付構造を示した概略断面図である。
【０００３】
図６における施工態様においては、まず、住戸１１と住戸１２を仕切る仕切壁１に接する位置にスタッド２３を設け、これをビス５６で固定する。スタッド２４をスタッド２３との間に隙間を設けて配置し、スタッド２５をスタッド２４に接する位置に配置する。これによりスタッド２３〜２５が仕切壁１に対して直交する方向に一列に配置される。続いて仕切壁１に対して直交方向に接する石膏ボード２１，２２をスタッド２３〜２５の両側に配置し、これをビス５１〜５４で固定する。そして吊戸３を取り付ける戸枠４が石膏ボード２１，２２の側端面及びスタッド２５に接して配置され、スタッド２５に対してビス５５により固定される。これら石膏ボード２１，２２及びスタッド２３〜２５により控え壁２が構成される。
【０００４】
しかし、上記取付構造では仕切壁１、控え壁２、戸枠４が互いに接した状態で固定されているため、吊戸３の開閉による吊戸３と戸枠４との当接による衝撃音が控え壁２及び仕切壁１を介して隣戸に伝搬するという問題がある。
【０００５】
この問題に対して、隣戸にふかし壁を設ける方法があるが、この方法では隣戸の室寸法を小さくさせてしまうため住民や建築主に好まれない。
また、吊戸と戸枠の間に厚みのある緩衝材を設ける方法（例えば、特許文献１参照）や吊戸のレール内にブレーキ機構を組み込む等の方法（例えば、特許文献２参照）もあるが、厚みのある緩衝材は意匠的に好まれず、ブレーキ機構付のレールは戸枠の寸法及び吊戸の重量に制限があるため設計・施工時に制約が多い。
【先行技術文献】
【特許文献】
【０００６】
【特許文献１】特開平９−１２５８１２号公報
【特許文献２】特開２００６−３３６４３１号公報
【発明の概要】
【発明が解決しようとする課題】
【０００７】
そこで本発明の課題は、意匠的に受け入れられ易く、かつ設計・施工時に制約の少ない、吊戸開閉時の衝撃音伝搬防止構造を提供することにある。
【課題を解決するための手段】
【０００８】
本発明の一態様によれば、仕切壁と直交する吊戸と、
前記仕切壁と直交し、前記仕切壁と前記吊戸との間に設けられる控え壁と、
前記仕切壁の壁面に上下に設けられる断面コの字状のランナーと、を備え、
前記控え壁は、その側端が前記仕切壁との間に隙間を保持する形態で前記ランナーに取り付けられ、
前記控え壁は、前記吊戸の移動による衝撃を受けて前記隙間を小さくする方向に変位可能に構成されていることを特徴とする衝撃音伝搬防止構造が提供される。
【発明の効果】
【０００９】
本発明によれば、仕切壁に取り付けられたランナーに控え壁を取り付けることにより、控え壁が仕切壁との間に隙間を保持する形態で取り付けられる。これにより、控え壁が吊戸開閉時の衝撃を吸収でき、衝撃音が隣戸へ伝搬するのを効果的に防止できる。また、ランナーの剛性により控え壁の面外方向に加わる力を抑えることができる。
また、外観においても仕切壁と控え壁に僅かな隙間が形成されるだけであり、ランナーがこの隙間を内側から覆っているので意匠的に受け入れられ易い。
更に、ブレーキ機構付のレールを設ける方法に比べてコスト面において優れる。
【図面の簡単な説明】
【００１０】
【図１】吊戸及び控え壁の正面図である。
【図２】仕切壁と控え壁との取り付け構造であって、図１の切断線II-IIに沿った矢視断面図である。
【図３】控え壁の下端の構造であって、図１の切断線III-IIIに沿った矢視断面図である。
【図４】控え壁の下端の構造であって、図１の切断線IV-IVに沿った矢視断面図である。
【図５】仕切壁と控え壁との取り付け部分を示す概略断面図である。
【図６】従来の施工態様における仕切壁、控え壁及び戸枠の取り付け構造を示す概略断面図である。
【発明を実施するための形態】
【００１１】
以下に、本発明を実施するための形態について説明する。但し、以下に述べる実施形態には、本発明を実施するために技術的に好ましい種々の限定が付されているが、本発明の範囲を以下の実施形態に限定するものではない。
【００１２】
図１を参照して本実施形態における衝撃音伝搬防止構造について説明する。図１は衝撃音伝搬防止構造を施した控え壁２、吊戸３等の正面図である。
【００１３】
住戸１１と住戸１２の境には、床スラブ８から天井スラブ７にかけて仕切壁１が設けられている。住戸１１，１２において床スラブ８上には床下地９が施工され、住戸１１の床下地９上に戸枠４が設けられている。そして仕切壁１と戸枠４との間には控え壁２が設けられ、控え壁２は仕切壁１に対して直交する方向に配置されている。
【００１４】
戸枠４は上框４１、縦框４２，４３からなり、縦框４２が控え壁２に接している。戸枠４は床下地９の上に立設されており、上框４１、縦框４２，４３、床下地９に囲まれた枠内４４には人及び物が通過可能な開口部４５が形成されている。
【００１５】
戸枠４の枠内４４には吊戸３が取り付けられている。吊戸３は戸枠４の上框４１に取り付けられた図示しないレールに吊り下げられ、戸枠４の枠内４４において控え壁２に対して平行な方向（仕切壁１に対して直交する方向）に移動可能なように構成されている。吊戸３が枠内４４を平行移動することにより開口部４５を開放状態、あるいは閉じた状態にすることができる。すなわち、枠内４４において吊戸３が縦框４３に当接している際には開口部４５は完全に開放された状態となり、枠内４４において吊戸３が縦框４２に当接している際には開口部４５が閉じた状態となる。
【００１６】
控え壁２の構造について図２、図３及び図４を参照して説明する。図２は仕切壁１と控え壁２の取り付け構造であって、図１の切断線II-IIに沿った矢視断面図である。図３は控え壁２の下端の構造であって、図１の切断線III-IIIに沿った矢視断面図である。図４は、控え壁２の下端の構造であって、図１の切断線IV-IVに沿った矢視断面図である。
【００１７】
控え壁２は、石膏ボード２１，２２、スタッド２３〜２５及びゴムパッド２６，２７から構成される。
スタッド２３は四角柱状に形成された軽量鉄骨であり、応力をかけることにより僅かに撓む構造強度を有するよう設定されている。スタッド２３は断面が長方形状となっており、横幅が大きい側面２３ａと、横幅が小さい側面２３ｂとを有する。スタッド２３の側面の寸法は、例えば、側面２３ａが４５ｍｍ、側面２３ｂが４０ｍｍとなっている。また、スタッド２４，２５はスタッド２３と同一の形状となっており、それぞれ側面２４ａ，２４ｂ，２５ａ，２５ｂを有する。
スタッド２３〜２５は床スラブ８から天井スラブ７にかけて垂直に延在し、仕切壁１と戸枠４との間にかけてスタッド２３，２４，２５の順に一列に配置されている。また、スタッド２３は側面２３ｂを仕切壁１に対して平行になるように配置し、スタッド２４，２５はそれぞれ側面２４ａ，２５ａを仕切壁１に対して平行になるように配置されている。スタッド２３は仕切壁１との間に隙間を設けて配置され、スタッド２４はスタッド２３との間に隙間を設けて配置されている。スタッド２５は、スタッド２４に隣接して配置され、縦框４２に接した状態で配置されている。
なお、スタッドの本数及び配置はこれに限られるものではなく、住宅の施工態様に応じて適宜変更が可能である。例えば、スタッドは３本以上設けられていてもよいし、スタッド２４が設けられていなくてもよい。更に、スタッド２３とスタッド２４の間の隙間は設けられていなくてもよい。
【００１８】
図３及び図４は、スタッド２３〜２５の下端の固定方法を示した概略断面図である。スタッド２３〜２５の下端は床スラブ８に取り付けられたランナー８０に固定されている。
ランナー８０は断面コの字状に形成された軽量鉄骨であり、背面８２、内底面８３、側縁８４，８５を有し、内底面８３と側縁８４，８５によりコの字状の開口８１が形成されている。側縁８４，８５は背面８２及び内底面８３に対して垂直に形成されており、背面８２から先端までの距離が側縁８４の方が長い。側縁８５が短くなっていることより開口８１にスタッドを嵌め込み易い。側縁８４と側縁８５との間の距離は、スタッド２３〜２５の側面２３ａ〜２５ａの横幅にほぼ等しい。すなわちランナー８０の寸法は、例えば、背面８２の幅方向の長さが４７ｍｍ、背面８２から側縁８４の先端までの長さが４０ｍｍ、背面８２から側縁８５の先端までの長さが３０ｍｍとなっている。
【００１９】
ランナー８０は開口８１を上に向け、背面８２が床スラブ８に接した状態でビス５７により固定されている。ビス５７はランナー８０の開口８１側から内底面８３を貫通し床スラブ８に対して垂直に刺し込まれ、ビス５７の締結力によりランナー８０が床スラブ８に対して固定されている。ビス５７はランナー８０の長手方向にわたって複数設けられているが、ランナー８０を固定できればビス５７は一つであってもよい。
【００２０】
スタッド２４，２５の下端は、ランナー８０の開口８１に嵌め込まれ、スタッド２４，２５の下端面が内底面８３に接した状態で垂直に立設している。側縁８４と側縁８５の距離がスタッド２４，２５の側面２４ａ，２５ａの横幅にほぼ等しいので、スタッド２４，２５の下端は開口８１にきっちり挟み込まれる。スタッド２３はその下端面が内底面８３に接した状態で立設しているが、スタッド２３は側面２３ｂを仕切壁１に向けた状態で配置されているため、スタッド２３と側縁８４，８５との間に隙間が生じている。
【００２１】
スタッド２３，２５はランナー８０にビス５８によって固定されている。ビス５８は、ランナー８０の外側から側縁８４を貫通してスタッド２３，２５に向けて垂直に刺し込まれている。同様に、スタッド２４も図示しないビスによって固定されている。
なお、天井スラブ７にもランナー８０と同じ形状のランナー（図示せず）が設けられており、これによりスタッド２３〜２５の上端が同じように固定されている。
【００２２】
図２において、石膏ボード２１と石膏ボード２２は同じ形状に形成された薄板であり、床下地９から天井スラブ７にかけてスタッド２３〜２５を両側から挟み込むようにして配置されている。石膏ボード２１，２２はスタッド２４，２５の側面２４ｂ，２５ｂに対して平行に配置されているため、スタッド２４，２５の側面２４ｂ，２５ｂには接しているが、スタッド２３の側面２３ａには接していない。これにより石膏ボード２１と側面２３ａとの間、石膏ボード２２と側面２３ａとの間には隙間が形成されており、これらの隙間にゴムパッド２６，２７がそれぞれ配置されている。ゴムパッド２６，２７の厚さはこれらの隙間よりも僅かに大きく形成されている。
また、石膏ボード２１，２２の横幅は仕切壁１と戸枠４との間の距離よりも僅かに小さく形成されている。これにより石膏ボード２１，２２の一方の側端が縦框４２に当接しているが、他方の側端は仕切壁１には当接していない。
【００２３】
石膏ボード２１，２２はビス５１〜５４によってスタッド２３，２５に固定される。
控え壁２の外側から石膏ボード２１を貫通してスタッド２５に向けてビス５２が垂直に刺し込まれ、同じく控え壁２の外側から石膏ボード２２を貫通してスタッド２５に向けてビス５４が垂直に刺し込まれており、ビス５２，５４の先端はそれぞれスタッド２５の内部に位置している。
また、控え壁２の外側から石膏ボード２１及びゴムパッド２６を貫通してスタッド２３に向けてビス５１が垂直に刺し込まれ、同じく控え壁２の外側から石膏ボード２２及びゴムパッド２７を貫通してスタッド２３に向けてビス５３が垂直に刺し込まれており、ビス５１，５３の先端はスタッド２３の内部に位置している。なお、ビス５１，５３は後述するランナー６に当接しない位置に刺し込まれている。
これによって、ビス５１〜５４の締結力により石膏ボード２１，２２が互いに近づく方向に締め付けられており、ゴムパッド２６，２７が圧縮して石膏ボード２１，２２が平行な向きに保たれている。
なお、ゴムパッド２６，２７は弾性を有する材質であればゴム製に限られない。また、ゴムパッド２６，２７は石膏ボード２１，２２及びスタッド２３に当接している状態で、ビスが刺し込まれている箇所に配置されていればよく、ビス５１，５３が刺し込まれている箇所に複数設けられていてもよいし、スタッド２３の側面２３ａに沿って床下地９から天井スラブ７にかけて上下に設けられていてもよい。
また、上述の施工態様は先にスタッド２３〜２５を床スラブ８に立ててから床下地９を施工する壁先行工法を採用したものであるが、本願発明はこれに限られるものではなく、床下地９を施工してからその上にスタッド２３〜２５を立てる床先行工法を採用したものであってもよい。更には、床下地９が設けられていなくともよい。
【００２４】
このようにして構成される控え壁２の一方の側端は、上述の通り戸枠４に接しており、控え壁２と戸枠４との取り付けはスタッド２５と縦框４２をビス５５によりビス留めすることによってなされる。ビス５５は、枠内４４側から縦框４２を貫通して控え壁２のスタッド２５に向けて垂直に刺し込まれ、ビス５５の先端はスタッド２５の内部に位置する。
【００２５】
次に、仕切壁１と控え壁２との取り付け構造について図５を参照して説明する。図５は、仕切壁１と控え壁２との取り付け部分を拡大して示したものである。
【００２６】
控え壁２は仕切壁１との間に６〜１０ｍｍ程度の隙間を設けて配置されている。控え壁２の仕切壁１に対する取り付けは、仕切壁１の壁面に設けられたランナー６を介してなされる。
【００２７】
ランナー６は上述のランナー８０と同じ形状の軽量鉄骨であり、床スラブ８から天井スラブ７まで延在している。ランナー６は背面６２、内底面６３、側縁６４，６５を有し、内底面６３と側縁６４，６５によりコの字状の開口６１が形成されている。ランナー６は開口６１を戸枠４側に向け、背面６２が仕切壁１に接した状態となっている。開口６１側から内底面６３を貫通して仕切壁１に向けてビス５６が垂直に刺し込まれることによりランナー６が仕切壁１に対して固定されている。
【００２８】
控え壁２は、石膏ボード２１，２２がランナー６の側縁６４，６５を挟み込むことにより仕切壁１に取り付けられている。上述の通り、石膏ボード２１，２２はビス５１〜５４の締結力により互いに近づく方向に締め付けられているため、石膏ボード２１，２２の内側に接している側縁６４，６５も互いに近づく方向に締め付けられ、固定されている。そして、石膏ボード２１，２２とスタッド２３との間に圧縮された状態でゴムパッド２６，２７が配置されているため、石膏ボード２１，２２の締め付けが強くなり過ぎず、控え壁２と仕切壁１との間の隙間を小さくする方向に変位可能な状態で控え壁２が固定されている。また、スタッド２３の一部はランナー６の開口６１内に位置し、スタッド２３は内底面６３及び側縁６４，６５には接していない。しかし、控え壁２が変位したときにはスタッド２３がランナー６の内底面６３及び側縁６４，６５に当接することにより、ランナー６が控え壁２を支持することができる。
【００２９】
なお、ビス５１〜５６は、各箇所において床下地９から天井スラブ７まで上下にわたって所定の間隔で複数取り付けられているものである。また、図２〜４においてビス５１〜５６は各箇所においてすべて同じ高さに取り付けられているが、それぞれ異なる高さに取り付けられていてもよい。また、図２においてビス５１〜５６は各箇所において一つずつ取り付けられているが、これに限定されるものではなく各箇所において二つ以上取り付けられていてもよい。
また、ランナー６，８０及びスタッド２３〜２５の寸法は上述のものに限られるものではなく、ランナー６は石膏ボード２１，２２の間に挟まれればよく、ランナー８０はスタッド２４，２５の下端を固定することができればよい。
【００３０】
以上の構成により、本発明は以下の作用効果を奏する。
開口部４５を開放状態から閉じた状態にする際には、吊戸３を控え壁２及び仕切壁１に近づける方向に平行移動させる。これにより吊戸３は縦框４２に当接し、開口部４５は閉じた状態となる。このとき吊戸３と縦框４２の当接により発生した衝撃力は、戸枠４に隣接する控え壁２に伝搬する。衝撃力が控え壁２に伝搬すると控え壁２が僅かに撓み（変位し）、スタッド２３がランナー６の内底面６３との隙間を狭める。これにより控え壁２と仕切壁１との間の隙間が狭まり、衝撃力を仕切壁１に伝搬させることなく控え壁２が吸収することができる。控え壁２が衝撃力を吸収するため、吊戸３と縦框４２の当接による衝撃音を小さくすることができ、住戸１２への衝撃音の伝搬を防止できる。
また、控え壁２は仕切壁１との間に隙間を設けて取り付けられているので、吊戸３と縦框４２の当接により衝撃音が発生しても仕切壁１に伝わりにくく、これにより衝撃音を住戸１２へ伝搬しにくくすることができる。
更に、仕切壁１との間に隙間を設けて控え壁２が配置されているが、その取り付けがランナー６を介して行われているので、面外方向に加わる力はランナー６の剛性により抑えることができる。また仕切壁１と控え壁２との間の隙間は、ランナー６が内側から覆っているので意匠的に受け入れられ易い外観を備えている。
また、開口部４５を開放状態にする際にも、吊戸３と縦框４３との当接によって衝撃音が発生するおそれがあるが、これについても上記と同様、衝撃音の伝搬を防止可能である。
【符号の説明】
【００３１】
１  仕切壁
２  控え壁
３  吊戸
４  戸枠
６  ランナー
７  天井スラブ
８  床スラブ
９  床下地
１１  住戸
１２  住戸
２１  石膏ボード
２２  石膏ボード
２３  スタッド
２４  スタッド
２５  スタッド
６１  開口
６４  側縁
６５  側縁
８０  ランナー
【図１】
2010285775.tif 000003
【図２】
2010285775.tif 000004
【図３】
2010285775.tif 000005
【図４】
2010285775.tif 000006
【図５】
2010285775.tif 000007
【図６】
2010285775.tif 000008